(57)【要約】【課題】きわめて少ない労力で調整作業ができることは言うまでもなく、別途に調整工具を用意する必要がないばかりか、備え付けのレンチのように工具が露出することもなく外観も美麗とする。【解決手段】ポール１の上端及び下端に上側当接部３及び下側当接部４をそれぞれ有するとともにポール１の下端と下側当接部５との間に高さ調節機構４を介在させた伸縮ポールであって、高さ調節機構４が、ポール１の下端面に上方に向けて彫設したねじ溝１７と、下側当接部５の上面にその中心において回動可能に配置されているとともに頂面６３の中心にねじ溝１７に螺入するねじ６４を上方に向けて突し且つ外周に横方向に延びる操作杆６６が外方に向けて突出している回転板６とからなる。【選択図】    図２
2005218752.tif 000002
【特許請求の範囲】
【請求項１】
ポールの上端及び下端に上側当接部及び下側当接部をそれぞれ有するとともに前記ポールの下端と下側当接部との間に高さ調節機構を介在させた伸縮ポールであって、前記高さ調節機構が、前記ポールの下端面に上方に向けて彫設したねじ溝と、前記下側当接部の上面にその中心において回動可能に配置されているとともに頂面の中心に前記ねじ溝に螺入するねじを上方に向けて突し且つ外周に横方向に延びる操作杆が外方に向けて突出している回転板とからなることを特徴とする架設ポール。
【請求項２】
前記回転板に突出している操作杆は、その先端がポールの外周面よりも外方に位置する長さを有している請求項１記載の架設ポール。
【発明の詳細な説明】
【技術分野】
【０００１】
本発明は、床と天井或いは家具上面と天井間に伸縮作用を利用して架設または取り外される架設ポールに関するものである。
【背景技術】
【０００２】
従来、廊下や階段などの床と天井の間に例えば左右一対の架設ポールを突っ張り状態として架設し、これらに横ポールや棚板、或いはパネルや布片を架設して簡易な或いは一時的な壁面や店舗のディスプレィを構成したりすることが行われている。
【０００３】
また、架設ポールは、家具上面と天井間に架設される家具転倒防止具にも用いられている。
【０００４】
従来、前記架設ポールとしてコイルばねを用いたものが知られているが、充分な耐力を発揮させるには強力なコイルばねを用いる必要がある。そのため、設置時にコイルばねを縮める際に多大な圧縮力を必要とするばかりか、コイルばねの大きな弾力が邪魔して力の弱い者にとっては取り付け及び取り外し作業が困難であり、ポールの上端及び下端に付設した当接部が床や天井に傷を付けやすい。また、取付後も常時、床や天井に大きな付勢力を加えた状態であることから床や天井が変形してしまうという問題もある。
【０００５】
そこで、例えば、特開平８−２１４９６９号公報、特開平９−２６２１４７号公報、特開２００３−１６９７２４号公報などに示すようにねじを用いて架設する架設ポールが知られている。このような架設ポールは、強力なばねを用いないので取付け取り外し作業の際にばねの付勢力によって床や天井などを傷付ける心配がないばかりか、ねじを用いてポールを突っ張るものであることから微調整が可能で天井や壁に無理な力が掛からず損傷させたり変形させたりする心配もない。
【０００６】
ところが、特開２００３−１６９７２４号公報に提示されているような架設ポールは、図３に示すように、互いに伸縮可能なポール１１ａ及び１２ａの連結部の外周にに設けた回転ねじ部３ａを握って回転させることによりポール１ａを伸縮させるものである。そのため、回転ねじ部３ａを回転させる力、即ち、回転ねじ部３ａに加えられた偶力でポール１１ａ及び１２ａを調整することになる。従って、調節するには大きな回転力を必要とすることになり力の弱い者にとっては容易でなく、また、大きな力で回転させるので微調整も困難で、充分に伸長させなかったり、逆に余分に伸長させてしまって天井や床を圧迫して損傷を与える心配もある。
【０００７】
そこで、少ない力でポールを伸縮させる架設ポールが、特開平８−２１４９６９号公報、特開平９−２６２１４７号公報等に提示されている。
【０００８】
しかしながら、特開平８−２１４９６９号公報に提示されているものはナットの部分をスパナのような工具を用いて調整するものであり、取り付け、取り外し時は言うまでもなく調整する毎に別途に保管してある工具を必要とすることからきわめて作業性が悪い。
【０００９】
また、特開平９−２６２１４７号公報に提示されているものは、備え付けのレンチを用いて調整するものであり、別途工具を必要としないので利便性には優れているが、常に備え付けたレンチがポールの表面に露出していることから外観が美麗でない、特に、機構的にレンチをポールの中間位置に備えることになり、見栄えが悪い。
【特許文献１】特開平８−２１４９６９号
【特許文献２】特開平９−２６２１４７号
【特許文献３】特開２００３−１６９７２４号
【発明の開示】
【発明が解決しようとする課題】
【００１０】
本発明が解決しようとする課題は、きわめて少ない労力で調整作業ができることは言うまでもなく、別途に調整工具を用意する必要がないばかりか、備え付けのレンチのように工具が露出することもなく外観も美麗である架設ポールを提供するものである。
【課題を解決するための手段】
【００１１】
前記課題を解決するため、本発明である架設ポールは、ポールの上端及び下端に上側当接部及び下側当接部をそれぞれ有するとともに前記ポールの下端と下側当接部との間に高さ調節機構を介在させた伸縮ポールであって、前記高さ調節機構が、前記下側当接部の上面にその中心において回動可能に配置されているとともに頂面の中心に前記ポールの下端面から上方に向けて形成されているねじ溝に螺入するねじ棒を上方に向けて突出するとともに外周に横方向に延びる操作杆が外方に向けて突出している回転板とを有していることを特徴とする。
【００１２】
特に、前記回転板に突出している操作杆が、その先端をポールの外周面よりも外方に位置する場合には、操作杆の回転板の中心からの距離と回転板に設けたねじ棒の半径との差だけ偶力差が生じるのできわめて少ない力でポールを上昇させて高さ調整ができる。
【発明の効果】
【００１３】
ねじ式の調整手段を用いたのでばね式のような多大な労力を必要としたり、設置する天井や床などを損傷したり変形させたりする心配がないことは勿論のこと、別途に或いは備え付けの工具を必要とすることなくきわめて少ない労力で高さ調整ができ、更に、高さ調整機構がポールの下端と下側当接部との間に設置されているのばかりかポールの部分にレンチなどの工具が露出することもなく外観が美麗であるとともにポール部分に高さ調整機構がないので設置後に横ポールや壁材などを取り付ける際に、高さ調整機構が取り付け位置と重なることがないので取付不能な状態を生じることもない。
【発明を実施するための最良の形態】
【００１４】
次に、本発明を実施するための最良の形態について説明する。
【００１５】
図１および図２は本発明の好ましい実施の形態を示すものであり、ポール１は下側に位置する径の大きな基礎ポール１１とこの基礎ポール１１の上端に嵌挿される摺動ポール１２とから構成され、伸縮自在であるとともに、基礎ポール１１の上部に形成された膨出部１３，１３のねじ溝１４，１４に螺入させた止めねじ１５，１５により所望の長さに調節することができる。
【００１６】
摺動ポール１２の上端には例えば天井へ当接するための例えばゴム材や軟質発泡体のような緩衝部２を有する水平板からなる上側当接部３が、基礎ポール１１の下端には高さ調整機構４を介して例えば床などに接置するための緩衝部２と同様な素材により形成される緩衝部２を有する椀形の下側当接部５がそれぞれ備えられている。
【００１７】
そして、前記高さ調整機構４は、主として下側当接部５とポール１を形成する基礎ポール１１との間に介装される回転板６からなり、この回転板６は、底面の６１の中心位置に突出させた回転軸６２を嵌挿することにより、回転可能に支持されているとともに、頂面６３の中心に上方に向けて突出させたねじ棒６４を
有し、更に、外周６５に一対の操作杆６６，６６が対向して配置されている。
【００１８】
また、回転軸６は回転軸６２の下端をかしめて抜け止めとしており、ねじ棒６４を基礎ポール１１の下端面に固着したブロック部材１６に上方に向けて形成されているねじ溝１７に螺入することによりポール１と連結している。
【００１９】
以上の構成を有する本実施の形態は、止めねじ１５，１５を緩めた状態で下側当接部５を床面７の所定位置に載置し、次いで、摺動ポール１２を上方に伸ばして上側当接部３を天井８に当節させた状態で止めねじ１５，１５を締めてポール１を床面７と天井８との間に仮に架設する。
【００２０】
このとき、下側当接部５および上側当接部３にはそれぞれ緩衝部２，２がそれぞれ付設されているのでこれらの緩衝部２，２が作用してポール１が倒れることなしに床面７と天井８との間に配置することができる。
【００２１】
次いで、高さ調整機構４を構成する回転板６から突出している操作杆６６，６６の内、操作し易い側の一方を操作して回転板６を回転させ、ねじ棒６４を基礎ポール１１の下端面に形成されているねじ溝１７から抜き出すことにより基礎ポール１１と下側当接部５との距離を拡げていき、ポール１を伸長させて床面７と天井８との間に突っ張らせ強固に架設する。
【００２２】
このとき、本実施の形態では、前記回転板６に突出している操作杆６６が、その先端をポール１の外周面よりも外方に位置するので、操作杆６６の回転板６の中心からの距離と回転板６に設けたねじ棒６４の半径との差だけ偶力差が生じるのできわめて少ない力でポール１を上昇させて高さ調整ができるので、必要充分な伸長分だけを、突っ張り力を指先で感じながら調整することができるので誤って強い力で床７や天井８を押圧する心配がない。
【００２３】
また、本実施の形態では、高さ調整機構４は外側から見えにくいポール１の下端に配置されているとともに、回転板６も薄く形成でき、しかも操作杆６６も差程突出させる必要もなく、きわめて優れた美麗な外観を呈するものである。
【００２４】
また、本実施の形態を取り外すには、操作杆６６を操作して回転板６を逆転させるだけの簡単な作業の後に、必要であれば、止めねじ１５，１５を緩めてポール１を伸縮させれば良い。
【００２５】
このように、本実施の形態によれば、取り付けおよび取り外しを含めて専用の工具を別途に容易することなしに作業を行えるのできわめて利便性にも優れている。
【図面の簡単な説明】
【００２６】
【図１】本発明の好ましい実施の形態を示す正面図。
【図２】図１に示した実施の形態の要部を示す一部切截図。
【図３】従来例を示す説明図。
【符号の説明】
【００２７】
１  ポール、３  上側当接部、４  高さ調整機構、５  下側当接部、６  回転板、１７  ねじ溝、６３  頂面、６４  ねじ、６５  外周、６６  操作杆
【図１】
2005218752.tif 000003
【図２】
2005218752.tif 000004
【図３】
2005218752.tif 000005